(57)【要約】【課題】  被破砕コンクリート構造物を圧砕アームの内側に深く取り込める形状の圧砕アームを搭載した圧砕装置を提供し、同一寸法の被破砕コンクリート構造物に対して従来より小形の圧砕装置での破砕を可能とし、コンクリート構造物の破砕・分解作業をより効率よく実施できるようにする。【解決手段】 ショベルマシンへ取付けて使用する一対の圧砕アーム３、３を備えたコンクリート構造物の圧砕装置において、前記一対の圧砕アーム３、３が、相対する内側面は中央部で８０〜１００度の挟角を持って屈曲する２本の直線の稜で、また外側面は滑らかに湾曲した稜で形成されてなり、かつ前記一対の圧砕アーム３、３が全開の状態にあるとき、前記一対の圧砕アームの先端３ａ、３ａ間の間隔が、前記圧砕アーム内側面の屈曲点３ｂ、３ｂ間の間隔に等しいか又は近似した寸法になるように構成されてなる圧砕装置による。【選択図】図１
0003129035.tif 000002
【実用新案登録請求の範囲】
【請求項１】
ショベルマシンへの取付装置１と、圧砕アームの駆動手段を備えたフレーム２と、前記フレーム２に基部が軸支され、前記駆動手段によって開閉される一対の圧砕アーム３、３とで構成されたコンクリート構造物の圧砕装置において、
前記一対の圧砕アームが、相対する内側面は中央部で８０〜１００度の挟角を持って屈曲する２本の直線の稜で、また外側面は滑らかに湾曲した稜で形成されてなり、かつ前記一対の圧砕アーム３、３が全開の状態にあるとき、前記一対の圧砕アームの先端３ａ、３ａ間の間隔が、前記圧砕アーム内側面の屈曲点３ｂ、３ｂ間の間隔に等しいか又は近似した寸法になるように構成されてなることを特徴とする圧砕装置。
【請求項２】
前記一対の圧砕アーム３、３の先端が尖形形状で、被破砕コンクリート構造物に当接する面積を小さくしてなり、かつ、一対の圧砕アーム３、３を閉じたとき、両圧砕アームの先端３ａ、３ａが食い違うことなく当接するよう構成されてなることを特徴とする請求項１に記載の圧砕装置。
【考案の詳細な説明】
【技術分野】
【０００１】
本発明は、ショベルマシンに装着してコンクリート構造物の破砕・解体等に用いるコンクリート構造物圧砕装置に係わり、特に圧砕アームの破砕力を効果的に発揮できる圧砕アームの形状に関する。
【背景技術】
【０００２】
従来、コンクリート構造物の圧砕装置２０としては、図３に示すように被破砕コンクリート構造物を挟持して破砕する一対の圧砕アーム２３、２３が、クワガタの角状に先端部と中央部に内側に向かって突出した突起２３ａ、２３ｂを備えてなり、図４（ａ）（ｂ）に示すようにその突起２３ａ又は２３ｂが被破砕コンクリート構造物１０’に当接することによって被破砕コンクリート構造物１０’に破砕力Ｆを加え、被破砕コンクリート構造物１０’に亀裂を生じさせて破砕に至らしめるものが用いられている。
本発明者も先に同様な形状の圧砕アームとその基部にカッター刃を備えた圧砕装置の発明を行っている（特開２０００−３３６９５１）。
【０００３】
上記のような圧砕装置２０においては、前記一対の圧砕アーム２３、２３の開口角度に限度があるため、破砕力Ｆの大きい中央部の突起２３ｂ、２３ｂと、破砕力は小さくなるが、大きな寸法の被破砕コンクリート構造物が挟持できる先端部の突起２３ａ、２３ａを使い分ける必要がある。
図４（ａ）に示すように、挟持する被破砕コンクリート構造物１０’の寸法が圧砕アーム２３、２３を開いたときの中央部の突起２３ｂ、２３ｂ間の間隔より小さい場合には、一対の圧砕アーム２３、２３を閉じることによってまず中央部の突起２３ｂ、２３ｂが被破砕コンクリート構造物１０’に当接して該被破砕コンクリート構造物１０’に破砕力Ｆを加えてその一部を破砕した後、先端部の突起２３ａ、２３ａが被破砕コンクリート構造物１０’に当接し、一対の圧砕アーム２３、２３の一回の開閉により被破砕コンクリート構造物１０’の２箇所を破砕できることになる。
しかし、被破砕コンクリート構造物１０’を一対の圧砕アーム２３、２３の中央部の突起２３ｂ、２３ｂで挟持するためには、一対の圧砕アーム２３、２３の開き角度を大きくとらなければならないが、この開き角度は前記圧砕アームを軸支するフレームによって制限されるので、挟持できる被破砕コンクリート構造物１０’の寸法は、圧砕アーム２３、２３の先端で挟持するときより小さくならざるをえない。換言すれば、このような場合にはより大型の圧砕装置を使用しなくてはならず、使用状況に合わせて圧砕装置を取り替えることになり、様々な大きさの圧砕装置を用意しなければならず、コストが嵩む上、作業効率が悪い。また、被破砕コンクリート構造物１０’の寸法より、はるかに大型の圧砕装置が必要となり、狭隘な場所での作業は困難になる。
また、中央部の突起２３ｂ、２３ｂと基部間の長さも短く、被破砕コンクリート構造物を圧砕アーム２３、２３の内側に深く取り込むことはできず、小刻みに破砕していかねばならないので、作業時には膨大な粉塵が生じてしまう上、形状的に被破砕コンクリート構造物１０’を押し出す力が働いてしまい、効果的に破砕力を発揮できないという問題がある。
【０００４】
一方、図４（ｂ）に示すように、挟持する被破砕コンクリート構造物１０’の寸法が圧砕アーム２３、２３を開いたときの中央部の突起２３ｂ、２３ｂ間の間隔より大きい場合には、先端部の突起２３ａ、２３ａが被破砕コンクリート構造物１０’に当接して破砕力Ｆを加えて破砕していくことになる。この場合には挟持できる被破砕コンクリート構造物１０’の寸法は、圧砕アーム２３、２３を全開したときの先端間の間隔寸法までとなり、比較的小型の圧砕装置を使用できるが、圧砕アーム２３、２３の中央部の突起２３ｂ、２３ｂが被破砕コンクリート構造物１０’の前面に当接し、被破砕コンクリート構造物１０’を圧砕アーム２３、２３の内側に深く取り込むのを妨げるので、この場合も被破砕コンクリート構造物１０’を小刻みに破砕していかなくてはならないという問題がある。
【０００５】
また、一対の圧砕アーム２３、２３の先端の開き角度が大きいと、先端部の突起２３ａ、２３ａの破砕力Ｆが被破砕コンクリート構造物１０’の側面に直交するように作用しにくく、多くの場合被破砕コンクリート構造物１０’を圧砕アーム２３、２３の先端から外側に押し出す方向の分力を生じる。このため、前記圧砕アームの先端部の突起２３ａ、２３ａは、ショベルマシン側に押し戻されるような力を受けて被破砕コンクリート構造物１０’の側面に効果的に食い込まず、側面を滑ってしまい破砕できなくなるおそれも出てくる。
この先端部の突起２３ａ、２３ａが被破砕コンクリート構造物１０’の表面を滑るという現象については、ショベルマシンの圧砕アーム操作によって圧砕装置を被破砕コンクリート構造物１０’に押しつけることで解消できるが、熟練した技術が必要となり、ショベルマシンの運転操作に必要以上の注意を払わなくてはならず、作業効率の低下を招くという問題が出てくる。
【特許文献１】特開２０００−３３６９５１号公報
【特許文献２】特開平１１−１３１８２４号公報
【考案の開示】
【考案が解決しようとする課題】
【０００６】
本考案は、前記背景技術に鑑み、被破砕コンクリート構造物を圧砕アームの内側に深く取り込める形状の圧砕アームを搭載した圧砕装置を提供し、同一寸法の被破砕コンクリート構造物に対して従来より小形の圧砕装置での破砕を可能とし、コンクリート構造物の破砕・分解作業をより効率よく実施できるようにするものである。
【課題を解決するための手段】
【０００７】
本考案者は上記課題を下記の手段により解決した。
（１）ショベルマシンへの取付装置１と、圧砕アームの駆動手段を備えたフレーム２と、前記フレーム２に基部が軸支され、前記駆動手段によって開閉される一対の圧砕アーム３、３とで構成されたコンクリート構造物の圧砕装置において、
前記一対の圧砕アームが、相対する内側面は中央部で８０〜１００度の挟角を持って屈曲する２本の直線の稜で、また外側面は滑らかに湾曲した稜で形成されてなり、かつ前記一対の圧砕アーム３、３が全開の状態にあるとき、前記一対の圧砕アームの先端３ａ、３ａ間の間隔が、前記圧砕アーム内側面の屈曲点３ｂ、３ｂ間の間隔に等しいか又は近似した寸法になるように構成されてなることを特徴とする圧砕装置。
（２）前記一対の圧砕アーム３、３の先端が尖形形状で、被破砕コンクリート構造物に当接する面積を小さくしてなり、かつ、一対の圧砕アーム３、３を閉じたとき、両圧砕アームの先端３ａ、３ａが食い違うことなく当接するよう構成されてなることを特徴とする前項（１）に記載の圧砕装置。
【考案の効果】
【０００８】
本考案の圧砕装置によって下記の効果が発揮される。
〈１〉一対の圧砕アームが、相対する内側面は中央部で８０〜１００度の挟角を持って屈曲する２本の直線の稜で、また外側面は滑らかに湾曲した稜で形成されてなり、かつ前記一対の圧砕アーム３、３が全開の状態にあるとき、前記一対の圧砕アームの先端３ａ、３ａ間の間隔が、前記圧砕アーム内側面の屈曲点３ｂ、３ｂ間の間隔に等しいか又は近似した寸法になるように構成されているので、圧砕アームを全開にしたとき、圧砕アームの内側にほぼ長方形の空間が形成され、このときの圧砕アームの先端の間隔幅までの被破砕コンクリート構造物を圧砕アームの内側に深く取り込むことができ、圧砕アームの一度の開閉により広範な部分の破砕ができ、比較的小型の圧砕装置で効率的な破砕作業が可能になる。
また、被破砕コンクリート構造物を圧砕アームの内側に深く取り込み、圧砕アームの先端から、抱え込むように破砕することができるので、粉塵が発生しにくく、作業環境の向上が図れる。
加えて、本考案の圧砕装置は、圧砕アームの全開時に挟持できる寸法が大きいので、様々な被破砕コンクリート構造物の形状に対応でき、大きさの異なる圧砕装置に頻繁に取り替える必要がなく、作業効率の向上も図れる。
〈２〉また、圧砕アームの先端を尖形形状とし、被破砕コンクリート構造物に当接する面積を小さくしたので、圧砕アームの先端が被破砕コンクリート構造物の側面に食い込みやすくなり、圧砕アームが被破砕コンクリート構造物の表面を滑るおそれがなくなり、圧砕アームの内側に巻き込むように破砕できるので、ショベルマシンの運転操作が容易な上、粉塵の発生を抑えた効率的な破砕作業ができる。
【考案を実施するための最良の形態】
【０００９】
本考案の圧砕装置の実施の形態を実施例の図に基づいて説明する。
図１は本考案の圧砕装置の正面図、図２は本考案の圧砕装置の作用説明図である。図において１はショベルマシンへの取付装置、２はフレーム、３は圧砕アーム、３ａは圧砕アームの先端、３ｂは圧砕アーム内側面の屈曲点、４は圧砕アームの回動軸、５は圧砕アームの駆動手段連結部、１０は被破砕コンクリート構造物である。
本考案の圧砕装置は、図１に示すように、該圧砕装置をショベルマシンに取り付けるためのショベルマシンへの取付装置１と、圧砕アーム３の駆動手段を備えたフレーム２と、前記フレーム２に基部が軸支され、前記駆動手段によって開閉される一対の圧砕アーム３、３とで構成された破砕装置であって、前記一対の圧砕アーム３、３が、相対する内側面は中央部で８０〜１００度の挟角を持って屈曲する２本の直線の稜で、また外側面は滑らかに湾曲した稜で形成されてなり、かつ前記一対の圧砕アーム３、３が全開の状態にあるとき、前記一対の圧砕アームの先端３ａ、３ａ間の間隔が、前記圧砕アーム内側面の屈曲点３ｂ、３ｂ間の間隔に等しいか又は近似した寸法になるように構成されている。
【００１０】
本考案の圧砕装置によるコンクリート構造物の破砕は、下記のような手順で行われる。
（i）まず、図２（ａ）に示すように、駆動手段連結部５に連結された駆動手段（図示せず）が駆動手段連結部５を矢印の方向に引っ張ることによって圧砕アーム３、３をフレーム２（図１参照）に軸支した回動軸４の回りに、前記一対の圧砕アーム３、３を回動させてその先端を開く。
（ii）全開された一対の圧砕アーム３、３の先端３ａ、３ａを被破砕コンクリート構造物１０の側面に添って前進させ、圧砕アーム３、３の内側に形成されたほぼ長方形の空間内に被破砕コンクリート構造物１０を取り込む［図２（ｂ）］。
この際、圧砕アーム３、３の内側には前記被破砕コンクリート構造物１０の前面に当接してその取り込みを阻害するものがないので、前記被破砕コンクリート構造物１０は前記圧砕アーム内側面の屈曲点３ｂ、３ｂを結ぶ線の位置まで深く取り込めむことができる。
（iii）前記駆動手段が駆動手段連結部５を押すことによって圧砕アームの先端３ａ、３ａを閉じて、前記圧砕アームの先端３ａ、３ａを被破砕コンクリート構造物１０の側面に当接して破砕力Ｆを被破砕コンクリート構造物１０の側面に加えて、ひび割れを生じさせて［図２（ｃ）］、破砕する［図２（ｄ）］。
この際破砕アームの３、３の先端部３ａ，３ａが尖形形状をしているので、被破砕コンクリート構造物に食い込みやすく、被破砕コンクリート構造物の表面を滑ってしまうというおそれはなく、破砕力Ｆが被破砕コンクリート構造物１０に効果的に伝達される。
【００１１】
上記のように、本考案の圧砕装置は、一対の圧砕アーム３、３の相対する内側面が中央部付近で８０〜１００度の角度をもって屈曲しているので、圧砕アーム３、３が全開の状態にあるとき、圧砕アーム３、３の内側にほぼ長方形の空間が形成され、基部から圧砕アームの先端３ａ、３ａまでに、被破砕コンクリート構造物１０と接触する箇所がなく、基部付近まで深く被破砕コンクリート構造物１０を取り込むことができ、広範な部分の破砕が可能となり、圧砕アーム３、３の一回の開閉による破砕量を大幅に増やすことができる。
さらに、圧砕アーム３、３の先端３ａ、３ａが尖形形状をなしているので、圧砕アームの先端３ａ、３ａが被破砕コンクリート構造物１０の側面食い込みやすく、その表面を滑るおそれがなく、前記先端３ａ、３ａから圧砕アーム３、３内に取り込まれるように破砕できるので、粉塵の発生を抑えることができ、かつ熟練した操作技術を必要としない効率的な破砕作業が可能になる。
【図面の簡単な説明】
【００１２】
【図１】本願考案の圧砕装置の正面図
【図２】本願考案の圧砕装置の作用説明図
【図３】従来の圧砕処置の正面図
【図４】従来の圧砕装置の作用説明図
【符号の説明】
【００１３】
１：ショベルマシンへの取付装置
２：フレーム
３：圧砕アーム
３ａ：圧砕アームの先端
３ｂ：圧砕アーム内側面の屈曲点
４：圧砕アームの回動軸
５：圧砕アームの駆動手段連結部
１０、１０’：被破砕コンクリート構造物
２０：従来の圧砕装置
２３：従来の圧砕アーム
２３ａ：先端部の突起
２３ｂ：中央部の突起
Ｆ：破砕力
【図１】
0003129035.tif 000003
【図２】
0003129035.tif 000004
【図３】
0003129035.tif 000005
【図４】
0003129035.tif 000006